(57)【要約】【課題】発信者番号を非通知にして発信された呼についても、一定の場合に、発ＩＤ非通知拒否サービスの契約者の端末に着信させる。【解決手段】本発明の電話システムは、発ＩＤ非通知拒否サービスの契約者により予め設定された設定パスワードを格納する設定パスワードＤＢ４１と、契約者のユーザ端末１０に向けて発信者番号を非通知にして呼を発信した発信者のユーザ端末１０に対し、発信者番号の通知を促す音声ガイダンスを送信する音声ガイダンス送信サーバ３０と、発信者のユーザ端末１０にて音声ガイダンスの受信中にパスワードが入力されると、入力パスワードが設定パスワードと一致するか否かを照合するパスワード照合サーバ４０と、入力パスワードが設定パスワードと一致した場合、発信者のユーザ端末１０から発信された呼を契約者のユーザ端末１０に着信させる呼処理サーバ２０と、を有する。【選択図】図１
2009218786.tif 000002
【特許請求の範囲】
【請求項１】
発信者番号を非通知にして発信された呼の着信を拒否するサービスを提供する電話システムであって、
前記サービスの契約者により予め設定された設定パスワードを格納する設定パスワード格納手段と、
前記契約者の端末に向けて発信者番号を非通知にして呼を発信した発信者の端末に対し、発信者番号の通知を促す音声ガイダンスを送信する音声ガイダンス送信手段と、
前記発信者の端末にて前記音声ガイダンスの受信中にパスワードが入力されると、入力されたパスワードが前記契約者により予め設定された設定パスワードと一致するか否かを照合するパスワード照合手段と、
前記発信者の端末にて入力されたパスワードが前記契約者により予め設定された設定パスワードと一致した場合、前記発信者の端末から発信された呼を前記契約者の端末に着信させる呼処理手段と、を有する電話システム。
【請求項２】
前記設定パスワード格納手段は、前記契約者により予め設定された複数の設定パスワードを格納し、
前記パスワード照合手段は、前記発信者の端末にて入力されたパスワードが前記契約者により予め設定された複数の設定パスワードのいずれかと一致するか否かを照合し、
前記呼処理手段は、前記発信者の端末にて入力されたパスワードが前記契約者により予め設定された複数の設定パスワードのいずれかと一致した場合、前記発信者の端末から発信された呼を前記契約者の端末に着信させるとともに、前記発信者の端末にて入力されたパスワードを前記契約者の端末に通知する、請求項１に記載の電話システム。
【請求項３】
発信者番号を非通知にして発信された呼の着信を拒否するサービスを提供する電話システムによる着信拒否解除方法であって、
前記サービスの契約者により予め設定された設定パスワードを格納する設定パスワード格納ステップと、
前記契約者の端末に向けて発信者番号を非通知にして呼を発信した発信者の端末に対し、発信者番号の通知を促す音声ガイダンスを送信する音声ガイダンス送信ステップと、
前記発信者の端末にて前記音声ガイダンスの受信中にパスワードが入力されると、入力されたパスワードが前記契約者により予め設定された設定パスワードと一致するか否かを照合するパスワード照合ステップと、
前記発信者の端末にて入力されたパスワードが前記契約者により予め設定された設定パスワードと一致した場合、前記発信者の端末から発信された呼を前記契約者の端末に着信させる着信ステップと、を有する着信拒否解除方法。
【請求項４】
前記設定パスワード格納ステップでは、前記契約者により予め設定された複数の設定パスワードを格納し、
前記パスワード照合ステップでは、前記発信者の端末にて入力されたパスワードが前記契約者により予め設定された複数の設定パスワードのいずれかと一致するか否かを照合し、
前記着信ステップでは、前記発信者の端末にて入力されたパスワードが前記契約者により予め設定された複数の設定パスワードのいずれかと一致した場合、前記発信者の端末から発信された呼を前記契約者の端末に着信させるとともに、前記発信者の端末にて入力されたパスワードを前記契約者の端末に通知する、請求項３に記載の着信拒否解除方法。
【発明の詳細な説明】
【技術分野】
【０００１】
本発明は、電話システムおよび着信拒否解除方法に関する。
【背景技術】
【０００２】
現在、ＩＰ（Internet Protocol）ネットワークを利用したＩＰ電話サービスとして、ＳＩＰ（Session Initiation Protocol）プロトコルを用いたＶｏＩＰ（Voice over IP）システムと呼ばれる電話システムを利用したサービスがある。
【０００３】
この種のサービスの一例として、発ＩＤ非通知拒否サービスが挙げられる。発ＩＤ非通知拒否サービスとは、発信者番号を非通知にして発信された呼、すなわち不明な相手からの呼の着信を一律に拒否するサービスであり、例えば、特許文献１に開示されている。
【０００４】
ここで、従来の発ＩＤ非通知拒否サービスについて、図９および図１０を参照して説明する。ここでは、発信者であるユーザＡが、発ＩＤ非通知拒否サービスの契約者であるユーザＢに向けて、発信者番号を非通知にして呼を発信したものとする。
【０００５】
図９および図１０を参照すると、ユーザＡのＩＰ電話端末から、発信者番号を非通知にして、ユーザＢのＩＰ電話端末に向けて、呼を発信する（ステップ９０１）。
【０００６】
次に、ＩＰネットワークを介して複数のＩＰ電話端末間の呼接続処理を行うＳＩＰサーバは、ユーザＡのＩＰ電話端末に対し、ユーザＢに代わって、発信者番号の通知を促す音声ガイダンス（例えば、「あなたの電話番号を通知しておかけ直し下さい」という音声メッセージ）を送信する（ステップ９０２）。
【０００７】
したがって、ユーザＡのＩＰ電話端末から発信された呼は、ユーザＢのＩＰ電話端末には着信されないため、ユーザＡとユーザＢとの通話は不可となる。
【特許文献１】特開平１１−６８９５２号公報
【発明の開示】
【発明が解決しようとする課題】
【０００８】
ところで、ユーザの中には、様々な事情により、発信者番号を通知することができないユーザも存在する。
【０００９】
しかしながら、従来の発ＩＤ非通知拒否サービスにおいては、発信者番号を非通知にして発信された呼の着信を一律に拒否するため、発信者番号を通知することができないユーザのＩＰ電話端末から発信された呼については、契約者のＩＰ電話端末に着信させることができないという課題がある。
【００１０】
そこで、本発明の目的は、発信者番号を非通知にして発信された呼についても、一定の場合に、発ＩＤ非通知拒否サービスの契約者の端末に着信させることができる電話システムおよび着信拒否解除方法を提供することにある。
【課題を解決するための手段】
【００１１】
上記目的を達成するために本発明の電話システムは、
発信者番号を非通知にして発信された呼の着信を拒否するサービスを提供する電話システムであって、
前記サービスの契約者により予め設定された設定パスワードを格納する設定パスワード格納手段と、
前記契約者の端末に向けて発信者番号を非通知にして呼を発信した発信者の端末に対し、発信者番号の通知を促す音声ガイダンスを送信する音声ガイダンス送信手段と、
前記発信者の端末にて前記音声ガイダンスの受信中にパスワードが入力されると、入力されたパスワードが前記契約者により予め設定された設定パスワードと一致するか否かを照合するパスワード照合手段と、
前記発信者の端末にて入力されたパスワードが前記契約者により予め設定された設定パスワードと一致した場合、前記発信者の端末から発信された呼を前記契約者の端末に着信させる呼処理手段と、を有することを特徴とする。
【００１２】
この構成によれば、発信者は、本サービスの契約者に向けて発信者番号を非通知にして呼を発信した場合でも、契約者により予め設定されたパスワードを音声ガイダンスの受信中に入力することにより、契約者の端末に呼を着信させることができる。
【００１３】
したがって、契約者は、各種の事情により発信者番号を通知することができない発信者との通話も可能になる。
【００１４】
また、前記設定パスワード格納手段は、前記契約者により予め設定された複数の設定パスワードを格納し、
前記パスワード照合手段は、前記発信者の端末にて入力されたパスワードが前記契約者により予め設定された複数の設定パスワードのいずれかと一致するか否かを照合し、
前記呼処理手段は、前記発信者の端末にて入力されたパスワードが前記契約者により予め設定された複数の設定パスワードのいずれかと一致した場合、前記発信者の端末から発信された呼を前記契約者の端末に着信させるとともに、前記発信者の端末にて入力されたパスワードを前記契約者の端末に通知することとしても良い。
【００１５】
この構成によれば、契約者は、例えば、家族と友人に教えるパスワードを別のものにしておけば、通話前に、発信者の大まかな属性（家族／友人）を把握することができる。また、発信者ごとに教えるパスワードを別のものにしておけば、通話前に、実効的に発信者を識別することができる。
【発明の効果】
【００１６】
本発明によれば、発信者は、本サービスの契約者に向けて発信者番号を非通知にして呼を発信した場合でも、契約者により予め設定されたパスワードを音声ガイダンスの受信中に入力することで、契約者の端末に呼を着信させることができる。
【００１７】
したがって、契約者は、各種の事情により発信者番号を通知することができない発信者との通話も可能になる。
【発明を実施するための最良の形態】
【００１８】
以下に、本発明を実施するための最良の形態について図面を参照して説明する。
【００１９】
（第１の実施形態）
図１は、本発明の一実施形態の電話システムの構成を示すブロック図である。
【００２０】
図１を参照すると、本実施形態の電話システムは、ユーザ端末１０と、呼処理サーバ２０と、音声ガイダンス送信サーバ３０と、パスワード照合サーバ４０と、を有している。
【００２１】
ユーザ端末１０は、通話機能を備えたＩＰ電話端末等である。
【００２２】
呼処理サーバ２０は、発ＩＤ非通知拒否サービスの契約者データを格納するサービス契約者ＤＢ２１を有している。
【００２３】
呼処理サーバ２０は、ユーザ端末１０間の呼接続処理を行い、例えば、発信者番号を非通知にした呼の発信があると、サービス契約者ＤＢ２１を参照して、その呼の発信先が発ＩＤ非通知拒否サービスの契約者であるか否かを確認する。
【００２４】
音声ガイダンス送信サーバ３０は、各種の音声ガイダンスデータを格納する音声ガイダンスＤＢ３１を有している。
【００２５】
音声ガイダンス送信サーバ３０は、例えば、発ＩＤ非通知拒否サービスの契約者に向けて発信者番号を非通知にして呼を発信した発信者のユーザ端末１０に対し、音声ガイダンスＤＢ３１を参照して、発信者番号の通知を促す音声ガイダンスを送信する。
【００２６】
パスワード照合サーバ４０は、発ＩＤ非通知拒否サービスの契約者により予め設定された、着信拒否を解除するための設定パスワードを格納する設定パスワードＤＢ４１を有している。
【００２７】
パスワード照合サーバ４０は、発ＩＤ非通知拒否サービスの契約者のユーザ端末１０に向けて発信者番号を非通知にして呼を発信した発信者のユーザ端末１０においてパスワードが入力されると、設定パスワードＤＢ４１を参照して、入力されたパスワードが契約者により予め設定された設定パスワードと一致するか否かを照合する。
【００２８】
呼処理サーバ２０は、発信者のユーザ端末１０において入力されたパスワードが契約者により予め設定された設定パスワードと一致した場合、発信者のユーザ端末１０から発信された呼を、発ＩＤ非通知拒否サービスの契約者のユーザ端末１０に着信させる。
【００２９】
ここで、本実施形態の電話システムにより提供される発ＩＤ非通知拒否サービスの概要について、図２および図３を参照して説明する。ここでは、発ＩＤ非通知拒否サービスの契約者であるユーザＢの設定パスワードがすでに設定パスワードＤＢ４１に格納されており、このような状態で、発信者であるユーザＡがユーザＢに向けて、発信者番号を非通知にして呼を発信したものとする。
【００３０】
図２および図３を参照すると、ユーザＡのユーザ端末１０から、発信者番号を非通知にして、ユーザＢのユーザ端末１０に向けて、呼を発信する（ステップ２０１）。
【００３１】
次に、音声ガイダンス送信サーバ３０は、ユーザＡのユーザ端末１０に対し、ユーザＢに代わって、発信者番号の通知を促す音声ガイダンス（例えば、「あなたの電話番号を通知しておかけ直し下さい」という音声メッセージ）を送信する（ステップ２０２）。
【００３２】
ここで、ユーザＡは、ユーザＢから着信拒否を解除するためのパスワードを教えられていれば、ユーザＡのユーザ端末１０において、音声ガイダンスの受信中に、パスワードを入力する（ステップ２０３）。パスワードの入力方法としては、例えば、電話機などでボタンを押下することで送出されるＤＴＭＦ（Dial Tone Multi Frequency）信号等を利用することが考えられるが、特に限定はない。
【００３３】
次に、パスワード照合サーバ４０は、ユーザＡのユーザ端末１０において入力されたパスワードがユーザＢにより予め設定された設定パスワードと一致するか否かを照合し、一致していれば、呼処理サーバ２０は、ユーザＡのユーザ端末１０から発信された呼を、ユーザＢのユーザ端末１０に着信させる（ステップ２０４）。
【００３４】
したがって、ユーザＡのユーザ端末１０から発信された呼を、ユーザＢのユーザ端末１０に着信させることができるため、ユーザＡとユーザＢとの通話が可能となる。
【００３５】
以下、本実施形態の電話システムの動作について、詳細に説明する。
【００３６】
まず、パスワード設定時の動作について、図４および図５を参照して説明する。ここでは、発ＩＤ非通知拒否サービスの契約者であるユーザＢが、パスワードを設定するものとする。
【００３７】
図４および図５を参照すると、ユーザＢのユーザ端末１０から、パスワード設定用の特定番号にダイヤルして、呼処理サーバ２０に向けて、呼を発信する（ステップ４０１）。
【００３８】
次に、呼処理サーバ２０は、パスワード設定用の音声ガイダンスをユーザＢのユーザ端末１０に送信するよう、音声ガイダンス送信サーバ３０に指示する（ステップ４０２）。
【００３９】
次に、音声ガイダンス送信サーバ３０は、音声ガイダンスＤＢ３１を参照して、呼処理サーバ２０経由でユーザＢのユーザ端末１０に対し、パスワード設定用の音声ガイダンスを送信する（ステップ４０３）。
【００４０】
ここで、ユーザＢは、ユーザＢのユーザ端末１０において、音声ガイダンスにしたがって、設定したいパスワードを入力する（ステップ４０４）。
【００４１】
次に、呼処理サーバ２０は、ユーザＢのユーザ端末１０において入力されたパスワードを格納するよう、パスワード照合サーバ４０に指示する（ステップ４０５）。
【００４２】
次に、パスワード照合サーバ４０は、ユーザＢのユーザ端末１０において入力されたパスワードを、設定パスワードとして設定パスワードＤＢ４１に格納する（ステップ４０６）。
【００４３】
次に、呼処理サーバ２０は、設定パスワードを通知する音声ガイダンスをユーザＢのユーザ端末１０に送信するよう、音声ガイダンス送信サーバ３０に指示する（ステップ４０７）。
【００４４】
その後、音声ガイダンス送信サーバ３０は、音声ガイダンスＤＢ３１を参照して、呼処理サーバ２０経由でユーザＢのユーザ端末１０に対し、設定パスワードを通知する音声ガイダンスを送信する（ステップ４０８）。
【００４５】
続いて、着信拒否解除時の動作について、図６および図７を参照して説明する。ここでは、発ＩＤ非通知拒否サービスの契約者であるユーザＢの設定パスワードがすでに設定パスワードＤＢ４１に格納されており、このような状態で、発信者であるユーザＡがユーザＢに向けて、発信者番号を非通知にして呼を発信したものとする。
【００４６】
図６および図７を参照すると、ユーザＡのユーザ端末１０から、発信者番号を非通知にして、ユーザＢのユーザ端末１０に向けて、呼を発信する（ステップ６０１）。
【００４７】
次に、呼処理サーバ２０は、サービス契約者ＤＢ２１を参照して、ユーザＢが発ＩＤ非通知拒否サービスの契約者であることを確認する（ステップ６０２）。
【００４８】
次に、呼処理サーバ２０は、発信者番号の通知を促す音声ガイダンスをユーザＡのユーザ端末１０に送信するよう、音声ガイダンス送信サーバ３０に指示する（ステップ６０３）。
【００４９】
次に、音声ガイダンス送信サーバ３０は、音声ガイダンスＤＢ３１を参照して、呼処理サーバ２０経由でユーザＡのユーザ端末１０に対し、発信者番号の通知を促す音声ガイダンスを送信する（ステップ６０４）。
【００５０】
ここで、ユーザＡは、ユーザＢからパスワードを教えられていれば、ユーザＡのユーザ端末１０において、音声ガイダンスの受信中に、パスワードを入力する（ステップ６０５）。
【００５１】
次に、呼処理サーバ２０は、ユーザＡのユーザ端末１０において入力されたパスワードが、ユーザＢにより予め設定された設定パスワードと一致するか否かを照合するよう、パスワード照合サーバ４０に指示する（ステップ６０６）。
【００５２】
次に、パスワード照合サーバ４０は、設定パスワードＤＢ４１を参照して、ユーザＡのユーザ端末１０において入力されたパスワードが、ユーザＢにより予め設定された設定パスワードと一致するか否かを照合する（ステップ６０７）。
【００５３】
次に、パスワード照合サーバ４０は、ユーザＡのユーザ端末１０において入力されたパスワードが、ユーザＢにより予め設定された設定パスワードと一致している旨を、呼処理サーバ２０に通知する（ステップ６０８）。
【００５４】
その後、呼処理サーバ２０は、ユーザＡのユーザ端末１０から発信された呼を、ユーザＢのユーザ端末１０に着信させる（ステップ６０９）。
【００５５】
上述したように本実施形態においては、発信者は、発ＩＤ非通知拒否サービスの契約者に向けて発信者番号を非通知にして呼を発信した場合でも、契約者により予め設定されたパスワードを音声ガイダンスの受信中に入力することにより、契約者のユーザ端末１０に呼を着信させることができる。
【００５６】
したがって、契約者は、各種の事情により発信者番号を通知することができない発信者との通話も可能になる。また、これにより、発ＩＤ非通知拒否サービスの利便性が向上するため、発ＩＤ非通知拒否サービスの需要拡大に寄与し得る。
【００５７】
なお、本実施形態においては、発ＩＤ非通知拒否サービスの契約者が設定する設定パスワードは１つに限らず、複数であっても良い。
【００５８】
この場合、設定パスワードＤＢ４１には、複数の設定パスワードを格納し、パスワード照合サーバ４０は、発信者のユーザ端末１０にて入力されたパスワードが複数の設定パスワードのいずれかと一致するか否かを照合する。
【００５９】
そして、呼処理サーバ２０は、発信者のユーザ端末１０にて入力されたパスワードが複数の設定パスワードのいずれかと一致した場合、契約者のユーザ端末１０に呼を着信させるだけでなく、発信者のユーザ端末１０において入力されたパスワードを契約者のユーザ端末１０に通知し、表示させる。
【００６０】
これにより、契約者は、例えば、家族と友人に教えるパスワードを別のものにしておけば、通話前に、発信者の大まかな属性（家族／友人）を把握することができる。また、発信者ごとに、教えるパスワードを別のものにしておけば、通話前に、実効的に発信者を識別することができる。
【００６１】
また、本実施形態においては、サービス契約者ＤＢ２１、音声ガイダンスＤＢ３１、および設定パスワードＤＢ４１は、それぞれ、呼処理サーバ２０、音声ガイダンス送信サーバ３０、およびパスワード照合サーバ４０の内部に設けられているが、これらサーバの外部に設けることもできる。
【００６２】
（第２の実施形態）
図８は、本発明の第２の実施形態の電話システムの構成を示すブロック図である。
【００６３】
図８を参照すると、本実施形態の電話システムは、第１の実施形態と比較して、呼処理サーバ２０、音声ガイダンス送信サーバ３０、およびパスワード照合サーバ４０の３つのサーバの機能を、１つのＳＩＰサーバ５０に集約した構成になっている。
【００６４】
すなわち、ＳＩＰサーバ５０は、呼処理サーバ２０、音声ガイダンス送信サーバ３０、およびパスワード照合サーバ４０とそれぞれ同様の動作を行う、呼処理部５１、音声ガイダンス送信部５２、およびパスワード照合部５３を有している。また、サービス契約者ＤＢ２１、音声ガイダンスＤＢ３１、および設定パスワードＤＢ４１とそれぞれ同様のデータを格納する、サービス契約者ＤＢ５５、音声ガイダンスＤＢ５６、および設定パスワードＤＢ５７を有している。さらに、サービス契約者ＤＢ５５、音声ガイダンスＤＢ５６、および設定パスワードＤＢ５７のデータを管理するデータ管理部５４を有している。
【００６５】
上述したように本実施形態においては、第１の実施形態と比較して、３つのサーバの機能を、１つのＳＩＰサーバ５０に集約した構成であるため、第１の実施形態と同様の効果が得られる他、サーバ間の通信量が減少するため、ＩＰネットワークのトラフィックを低減することができる。
【００６６】
なお、本実施形態においては、サービス契約者ＤＢ５５、音声ガイダンスＤＢ５６、および設定パスワードＤＢ５７は、ＳＩＰサーバ５０の内部に設けられているが、ＳＩＰサーバ５０の外部に設けることもできる。
【図面の簡単な説明】
【００６７】
【図１】本発明の第１の実施形態の電話システムの構成を示すブロック図である。
【図２】図１に示した電話システムにより提供される発ＩＤ非通知拒否サービスの概要を説明するフローチャートである。
【図３】図１に示した電話システムにより提供される発ＩＤ非通知拒否サービスの概要を説明する図である。
【図４】図１に示した電話システムにおけるパスワード設定時の動作を説明するフローチャートである。
【図５】図１に示した電話システムにおけるパスワード設定時の動作を説明する図である。
【図６】図１に示した電話システムにおける着信拒否解除時の動作を説明するフローチャートである。
【図７】図１に示した電話システムにおける着信拒否解除時の動作を説明する図である。
【図８】本発明の第２の実施形態の電話システムの構成を示すブロック図である。
【図９】従来の発ＩＤ非通知拒否サービスの概要を説明するフローチャートである。
【図１０】従来の発ＩＤ非通知拒否サービスの概要を説明する図である。
【符号の説明】
【００６８】
１０    ユーザ端末
２０    呼処理サーバ
２１    サービス契約者ＤＢ
３０    音声ガイダンス送信サーバ
３１    音声ガイダンスＤＢ
４０    パスワード照合サーバ
４１    設定パスワードＤＢ
５０    ＳＩＰサーバ
５１    呼処理部
５２    音声ガイダンス送信部
５３    パスワード照合部
５４    データ管理部
５５    サービス契約者ＤＢ
５６    音声ガイダンスＤＢ
５７    設定パスワードＤＢ
【図１】
2009218786.tif 000003
【図２】
2009218786.tif 000004
【図３】
2009218786.tif 000005
【図４】
2009218786.tif 000006
【図５】
2009218786.tif 000007
【図６】
2009218786.tif 000008
【図７】
2009218786.tif 000009
【図８】
2009218786.tif 000010
【図９】
2009218786.tif 000011
【図１０】
2009218786.tif 000012